【手続補正書】
【提出日】令和2年2月4日(2020.2.4)
【手続補正１】
【補正対象書類名】特許請求の範囲
【補正対象項目名】全文
【補正方法】変更
【補正の内容】
【特許請求の範囲】
【請求項１】
端末装置と無線通信する通信中継装置であって、
自律制御により又は外部からの制御により上空を移動可能な浮揚体に搭載され、前記端末装置と無線通信可能な複数のセクタセルからなる広域セルを形成する中継通信局を備え、
前記中継通信局が形成する前記複数のセクタセルは、前記中継通信局からのダウンリンクにおいて同一周波数により互いに時間同期した状態で同一データの信号を送信する連続配置された複数のＳＦＮ（単一周波数ネットワーク）方式のセクタセルと、前記中継通信局からのダウンリンクにおいて互いに異なる周波数により互いに異なるデータの信号を送信する複数のＭＦＮ（複数周波数ネットワーク）方式のセクタセルと、を含み、
前記通信中継装置の移動及び回転に基づいて、前記端末装置が移動する移動経路に沿って前記ＳＦＮ方式のセクタセルが連続的に形成されるように前記移動経路を含むセクタセルが前記ＳＦＮ方式のセクタセルになり、且つ、前記移動経路を含まないセクタセルが前記ＭＦＮ方式のセクタセルになるように、前記複数のセクタセルのそれぞれを前記ＳＦＮ方式のセクタセルと前記ＭＦＮ方式のセクタセルとの間で選択的に切り替えるセル切替手段を備えることを特徴とする通信中継装置。
【請求項２】
請求項１の通信中継装置において、
前記セル切替手段は、前記複数のセクタセルそれぞれにおいて、前記セクタセル内に位置する端末装置と前記中継通信局との間の無線通信のＰＲＢ（物理リソースブロック）の使用率に基づいて、前記ＳＦＮ方式のセクタセルと前記ＭＦＮ方式のセクタセルとの切り替えを行うことを特徴とする通信中継装置。
【請求項３】
請求項１の通信中継装置において、
前記セル切替手段は、前記複数のセクタセルそれぞれにおいて、前記セクタセル内に位置する端末装置との間の無線通信のトラヒック状況に基づいて、前記ＳＦＮ方式のセクタセルと前記ＭＦＮ方式のセクタセルとの切り替えを行うことを特徴とする通信中継装置。
【請求項４】
端末装置と無線通信する複数の通信中継装置を備えたシステムであって、
前記複数の通信中継装置はそれぞれ、自律制御により又は外部からの制御により上空を移動可能な浮揚体に搭載され、前記端末装置と無線通信可能な複数のセクタセルからなる広域セルを形成する中継通信局を備え、
前記複数の通信中継装置の中継通信局が形成する複数のセクタセルは、前記中継通信局からのダウンリンクにおいて同一周波数により互いに時間同期した状態で同一データの信号を送信する連続配置された複数のＳＦＮ（単一周波数ネットワーク）方式のセクタセルと、前記中継通信局からのダウンリンクにおいて互いに異なる周波数により互いに異なるデータの信号を送信する複数のＭＦＮ（複数周波数ネットワーク）方式のセクタセルと、を含み、
前記複数の通信中継装置それぞれの移動及び回転に基づいて、前記端末装置が移動する移動経路に沿って前記ＳＦＮ方式のセクタセルが連続的に形成されるように前記移動経路を含むセクタセルが前記ＳＦＮ方式のセクタセルになり、且つ、前記移動経路を含まないセクタセルが前記ＭＦＮ方式のセクタセルになるように、前記複数のセクタセルのそれぞれを前記ＳＦＮ方式のセクタセルと前記ＭＦＮ方式のセクタセルとの間で選択的に切り替えるセル切替手段を備えることを特徴とするシステム。
【請求項５】
請求項４のシステムにおいて、
前記複数のＳＦＮ方式のセクタセルは、前記複数の通信中継装置のうち互いに隣り合う複数の通信中継装置によって連続的に形成されていることを特徴とするシステム。
【請求項６】
請求項４又は５のシステムにおいて、
前記セル切替手段は、前記複数のセクタセルそれぞれにおいて、前記セクタセル内に位置する端末装置と前記中継通信局との間の無線通信のＰＲＢ（物理リソースブロック）の使用率に基づいて、前記ＳＦＮ方式のセクタセルと前記ＭＦＮ方式のセクタセルとの切り替えを行うことを特徴とするシステム。
【請求項７】
請求項４又は５のシステムにおいて、
前記セル切替手段は、前記複数のセクタセルそれぞれにおいて、前記セクタセル内に位置する端末装置との間の無線通信のトラヒック状況に基づいて、前記ＳＦＮ方式のセクタセルと前記ＭＦＮ方式のセクタセルとの切り替えを行うことを特徴とするシステム。
【請求項８】
請求項４乃至７のいずれかのシステムにおいて、
前記複数の通信中継装置を遠隔的に制御する遠隔制御装置を備え、
前記遠隔制御装置は、前記複数の通信中継装置の少なくとも一つの通信中継装置に、前記ＳＦＮ方式のセクタセルと前記ＭＦＮ方式のセクタセルとの切り替えを制御するための制御情報を送信することを特徴とするシステム。
【請求項９】
外部からの制御により上空を移動可能な浮揚体に搭載され端末装置と無線通信可能な複数のセクタセルからなる広域セルを形成する中継通信局を有する複数の通信中継装置を遠隔的に制御する遠隔制御装置であって、
前記複数の通信中継装置の中継通信局が形成する複数のセクタセルは、前記中継通信局からのダウンリンクにおいて同一周波数により互いに時間同期した状態で同一データの信号を送信する連続配置された複数のＳＦＮ（単一周波数ネットワーク）方式のセクタセルと、前記中継通信局からのダウンリンクにおいて互いに異なる周波数により互いに異なるデータの信号を送信する複数のＭＦＮ（複数周波数ネットワーク）方式のセクタセルと、を含み、
前記複数の通信中継装置それぞれの移動及び回転に基づいて、前記端末装置が移動する移動経路に沿って前記ＳＦＮ方式のセクタセルが連続的に形成されるように前記移動経路を含むセクタセルが前記ＳＦＮ方式のセクタセルになり、且つ、前記移動経路を含まないセクタセルが前記ＭＦＮ方式のセクタセルになるように、前記複数の通信中継装置の少なくとも一つの通信中継装置に、前記ＳＦＮ方式のセクタセルと前記ＭＦＮ方式のセクタセルとの切り替えを制御するための制御情報を送信することを特徴とする遠隔制御装置。
【請求項１０】
端末装置との間で無線通信を行う中継通信局が自律制御により又は外部からの制御により上空を移動可能な浮揚体に搭載された通信中継装置における前記中継通信局による複数のセクタセルからなる広域セルの形成を制御する方法であって、
前記中継通信局からのダウンリンクにおいて同一周波数により互いに時間同期した状態で同一データの信号を送信する連続配置された複数のＳＦＮ（単一周波数ネットワーク）方式のセクタセルと、前記中継通信局からのダウンリンクにおいて互いに異なる周波数により互いに異なるデータの信号を送信する複数のＭＦＮ（複数周波数ネットワーク）方式のセクタセルとを含むように、前記複数のセクタセルを形成することと、
前記複数の通信中継装置それぞれの移動及び回転に基づいて、前記端末装置が移動する移動経路に沿って前記ＳＦＮ方式のセクタセルが連続的に形成されるように前記移動経路を含むセクタセルが前記ＳＦＮ方式のセクタセルになり、且つ、前記移動経路を含まないセクタセルが前記ＭＦＮ方式のセクタセルになるように、前記複数のセクタセルのそれぞれを前記ＳＦＮ方式のセクタセルと前記ＭＦＮ方式のセクタセルとの間で選択的に切り替えることと、を含むことを特徴とする方法。
【請求項１１】
端末装置との間で無線通信を行う中継通信局が自律制御により又は外部からの制御により上空を移動可能な浮揚体に搭載された通信中継装置における前記中継通信局による複数のセクタセルからなる広域セルの形成の制御を、コンピュータ又はプロセッサに実行させるためのプログラムであって、
前記中継通信局からのダウンリンクにおいて同一周波数により互いに時間同期した状態で同一データの信号を送信する連続配置された複数のＳＦＮ（単一周波数ネットワーク）方式のセクタセルと、前記中継通信局からのダウンリンクにおいて互いに異なる周波数により互いに異なるデータの信号を送信する複数のＭＦＮ（複数周波数ネットワーク）方式のセクタセルとを含むように、前記複数のセクタセルを形成するためのプログラムコードと、
前記複数の通信中継装置それぞれの移動及び回転に基づいて、前記端末装置が移動する移動経路に沿って前記ＳＦＮ方式のセクタセルが連続的に形成されるように前記移動経路を含むセクタセルが前記ＳＦＮ方式のセクタセルになり、且つ、前記移動経路を含まないセクタセルが前記ＭＦＮ方式のセクタセルになるように、前記複数のセクタセルのそれぞれを前記ＳＦＮ方式のセクタセルと前記ＭＦＮ方式のセクタセルとの間で選択的に切り替えるためのプログラムコードと、を有することを特徴とするプログラム。
【手続補正２】
【補正対象書類名】明細書
【補正対象項目名】発明の名称
【補正方法】変更
【補正の内容】
【発明の名称】通信中継装置、システム、遠隔制御装置、並びに、広域セルの形成を制御する方法及びプログラム